(57)【要約】【課題】デジタル放送のチャンネル切替え時間の不快感を解消すると共に、該切替え時間の有効利用を図ったデジタル放送受信機能付き携帯電話端末を得る。【解決手段】携帯電話機能部２０とデジタル放送受信機能部２１とを備えたデジタル放送受信機能付き携帯電話端末１９に於て、画像及び／又は音声コンテンツ（ダウンロードコンテンツ２４、初期設定コンテンツ２３）を記憶したメモリ２２と、デジタル放送のチャンネル切替え信号を検出するチャンネル切替え信号検出部２５と、デコード処理開始信号検出部２６とを備え、前記チャンネル切替え信号検出部２５によってデジタル放送のチャンネル切替え信号を検出すると前記メモリ２２内の前記コンテンツを出力し、前記デコード処理開始信号検出部２６によってデコード処理開始信号を検出すると、該コンテンツの出力を中止するように構成したデジタル放送受信機能付き携帯電話端末を提供する。【選択図】  図１
2004336481.tif 000002
【特許請求の範囲】
【請求項１】
携帯電話機能部とデジタル放送受信機能部とを備えたデジタル放送受信機能付き携帯電話端末に於て、画像及び／又は音声用コンテンツを記憶したメモリと、デジタル放送のチャンネル切替え信号を検出するチャンネル切替え信号検出部と、デコード処理開始信号検出部とを備え、前記チャンネル切替え信号検出部によってデジタル放送のチャンネル切替え信号を検出すると前記メモリ内の前記コンテンツを出力し、前記デコード処理開始信号検出部によってデコード処理開始信号を検出すると、該コンテンツの出力を中止するように構成したことを特徴とするデジタル放送受信機能付き携帯電話端末。
【請求項２】
上記メモリには予め初期設定により初期設定コンテンツが記憶されていることを特徴とする請求項１記載のデジタル放送受信機能付き携帯電話端末。
【請求項３】
上記コンテンツは上記携帯電話機能部によってダウンロードにより取込まれるように構成されていることを特徴とする請求項１又は２記載のデジタル放送受信機能付き携帯電話端末。
【発明の詳細な説明】
【０００１】
【発明の属する技術分野】
この発明は、デジタル放送受信機能付き携帯電話端末に関するものであり、特に、デジタル放送のチャンネル切替え時間に画像、音声等のコンテンツを出力可能に構成したデジタル放送受信機能付き携帯電話端末に関するものである。
【０００２】
【従来の技術および発明が解決しようとする課題】
従来の此種デジタル放送受信機能付き携帯電話端末を図５及び図６に従って説明する。図５に於て、１はデジタル放送受信機能付き携帯電話端末であり、該デジタル放送受信機能付き携帯電話端末１は携帯電話の機能を備えた携帯電話機能部２と、デジタル放送を受信する機能を備えたデジタル放送受信機能部３とを備えている。そして、前記携帯電話機能部２は通信送受信用アンテナ４に高周波送受信部５、変復調部６、チャンネル符号化復号化部７、音声符号化復号化部８、及び、Ａ／Ｄ，Ｄ／Ａ変換部９が直列に接続され、該Ａ／Ｄ，Ｄ／Ａ変換部９にスピーカ１０、及び、マイク１１が並列に接続されている。
【０００３】
又、前記高周波送受信部５、変復調部６、チャンネル符号化復号化部７は制御部１２に接続され、該制御部１２には更にメモリ１３、ＬＣＤ（液晶ディスプレイ）１４、キースイッチ等のユーザインタフェイス１５が並列に接続されている。
【０００４】
更に、前記デジタル放送受信機能部３は、デジタル放送受信用アンテナ１６にチューナー等の選局部１７、復調器及び復号器１８が直列に接続され、該選局部１７と、復調器及び復号器１８とは前記制御部１２に並列に接続されている。
【０００５】
而して、前記携帯電話機能部２の着信動作を説明すると、前記制御部１２は前記高周波送受信部５、及び、チャンネル符号化復号化部７を制御し、制御チャンネルの情報を受信する。該制御チャンネルの情報により自電話機宛の信号がある場合、該制御部１２は発信者の電話番号を情報として得ることができ、更に、前記スピーカ１０を鳴動させる。
【０００６】
そこで、ユーザが前記ユーザインタフェイス１５の通話ボタン（図示せず）を押すと、前記Ａ／Ｄ，Ｄ／Ａ変換部９からの出力をスピーカ１０に音声出力し、一方、前記マイク１１から入力される音声を符号化して送信する。
【０００７】
更に詳細に説明すると、基地局から送信された信号は前記通信送受信用アンテナ４によって受信され、前記高周波送受信部５に出力される。該高周波送受信部５では入力した信号を特定の周波数に変換して前記変復調部６に出力し、該変復調部６では信号を復調し、復調した音声データ信号を前記チャンネル符号化復号化部７に出力する。そして、該チャンネル符号化復号化部７では、デクリプション（暗号解除）等を行い、更に、制御ビット等を音声信号から分離し、処理された音声データ信号を前記音声符号化復号化部８に出力する。該音声符号化復号化部８では音声データ信号を伸張しＰＣＭ（Ｐｕｌｓｅ  Ｃｏｄｅ  Ｍｏｄｕｌａｔｉｏｎ）信号に変換し、前記Ａ／Ｄ，Ｄ／Ａ変換部９に出力する。該Ａ／Ｄ，Ｄ／Ａ変換部９ではＰＣＭ信号をアナログ信号に変換して前記スピーカ１０に出力し、該スピーカ１０ではアナログの電気信号を音声に変換して出力する。
【０００８】
一方、ユーザの音声を前記マイク１１で電気信号に変換し、その出力を前記Ａ／Ｄ，Ｄ／Ａ変換部９で所定ビットのＰＣＭ信号に変換し、前記音声符号化復号化部８に出力する。該音声符号化復号化部８では音声圧縮のアルゴリズムによりデータ圧縮し音声データ信号として、前記チャンネル符号化復号化部７に出力する。該チャンネル符号化復号化部７では音声データ信号を所定のビット長で区切り、制御ビット等を付加し、更にエンクリプション（暗号化）等を行い前記変復調部６に出力する。そして、該変復調部６では音声データ信号をエアインターフェース（無線通信についてのインターフェース規約）に適した信号に変調し前記高周波送受信部５に出力する。該高周波送受信部５では変調された信号を特定の周波数に変換し、前記通信送受信用アンテナ４より基地局に送信する。
【０００９】
次に、前記携帯電話機能部２の発信動作を説明すると、前記制御部１２は前記ユーザインタフェイス１５から電話番号と、発信ボタンが押されたことを検出すると、前記チャンネル符号化復号化部７、変復調部６、高周波送受信部５を制御して制御チャンネルで送信する。そして、基地局と通信接続が完了したら、通話チャンネルに切替え、前記音声符号化復号化部８を制御し前述と同様の通話を行う。
【００１０】
又、前記デジタル放送受信機能部３は、地上波デジタル放送を前記デジタル放送受信用アンテナ１６で受信し、前記選局部１７で選択し、選択した変調信号を前記復調器及び復号器１８で復調、誤り訂正処理を行い、そして、ＭＰＥＧシステムの多重されている信号を分離し、必要なチャンネルのデジタル信号をデコードして前記制御部１２に出力する。出力された信号は該制御部１２を介して音声信号は前記スピーカ１０に出力され、画像信号は前記ＬＣＤ１４に表示される。
【００１１】
次に、前記デジタル放送受信機能付き携帯電話端末１のデジタル放送受信機能部３で受信したチャンネルを出力している時に、前記ユーザインタフェイス１５によってチャンネルが切替えられた場合の変化を図６によって説明する。同図（ａ）は任意のチャンネルの画像が前記ＬＣＤ１４に表示され、音声が前記スピーカ１０によって出力されている状態を示し、この状態の時、チャンネルが切替えられると、同図（ｂ）に示す如く、該ＬＣＤ１４に画像が表示されず、又は、画像が乱れ、前記スピーカ１０から音声が発生しない、或いは、雑音が発生する等の状態が発生する。
【００１２】
その後、切替えられたチャンネルの信号が出力されると同図（ｃ）の如く、切替えられたチャンネルの画像が前記ＬＣＤ１４によって表示され、前記スピーカ１０によって音声が出力される。前述したチャンネルが切替えられてから、切替えられたチャンネルの画像及び音声が出力されるまでの時間、所謂、チャンネル切替え時間は、前述した信号の復調、及び、復号に時間を要するために発生する。
【００１３】
然しながら、前述したようにチャンネル切替え時間に画像が表示されない、画像が乱れる、音声が発生しない、或いは、雑音が発生する等の状態はユーザに不快感を与えるという問題がある。
【００１４】
この問題は、デジタル放送受信機能付き携帯電話端末に限らず、その他のデジタル放送受信装置についても同様に発生する。
【００１５】
そのため、前記チャンネル切替え時間を不快に感じさせないようにするために、種々の工夫がなされている。例えば、スクランブル放送受信装置に於けるチャンネル切替え時の画像及び音声信号のミュート時間を短縮可能にしたミュート信号発生回路を備えたもの（例えば、特許文献１参照）、又、チャンネル切替え後の復号開始時間を早めた画像復号装置を備えたもの（例えば、特許文献２参照）、或いは、番組変更等のために符号化データの切替えが行われた際に、ブルーバック画面等を表示することにより、視聴者の違和感を緩和するようにしたデジタル動画像復号化装置、及び、デジタル動画像復号化方法（例えば、特許文献３参照）が知られている。
【００１６】
前記特許文献１及び特許文献２に於てはチャンネル切替え時間が短縮し、前記特許文献３に於てはチャンネル切替え時間にブルーバック画面を表示して、テレビ視聴者の不快感を多少軽減することができるが、テレビ視聴者の不快感を完全に解消することができない。
【００１７】
そこで、デジタル放送のチャンネル切替え時間の不快感を解消すると共に、該切替え時間の有効利用を図ったデジタル放送受信機能付き携帯電話端末を得るために解決すべき技術的課題が生じてくるのであり、本発明はこの課題を解決することを目的とする。
【００１８】
【特許文献１】
特開平７−２７４０８４号公報  （第１−１１頁、第１−８図）
【００１９】
【特許文献２】
特開平８−１６３５５８号公報  （第１−６頁、第１−４図）
【００２０】
【特許文献３】
特許３０７３９４８  （第１−１７頁、第１−８図）
【００２１】
【課題を解決するための手段】
本発明は上記目的を達成するために提案されたものであり、携帯電話機能部とデジタル放送受信機能部とを備えたデジタル放送受信機能付き携帯電話端末に於て、画像及び／又は音声用コンテンツを記憶したメモリと、デジタル放送のチャンネル切替え信号を検出するチャンネル切替え信号検出部と、デコード処理開始信号検出部とを備え、前記チャンネル切替え信号検出部によってデジタル放送のチャンネル切替え信号を検出すると前記メモリ内の前記コンテンツを出力し、前記デコード処理開始信号検出部によってデコード処理開始信号を検出すると、該コンテンツの出力を中止するように構成したデジタル放送受信機能付き携帯電話端末、
及び、上記メモリには予め初期設定により初期設定コンテンツが記憶されているデジタル放送受信機能付き携帯電話端末、
並びに、上記コンテンツは上記携帯電話機能部によってダウンロードにより取込まれるように構成されているデジタル放送受信機能付き携帯電話端末を提供するものである。
【００２２】
【発明の実施の形態】
以下、本発明の一実施の形態を図１乃至図４に従って詳述する。尚、説明の都合上、従来例と同一構成部分については同一符号を付してその説明を省略する。図１に於て、１９はデジタル放送受信機能付き携帯電話端末であり、該デジタル放送受信機能付き携帯電話端末１９は従来例のデジタル放送受信機能付き携帯電話端末（図５に於て１）の従来例の携帯電話機能部（図５に於て２）に代えて後述する携帯電話機能部２０が設けられ、従来例のデジタル放送受信機能部（図５に於て３）に代えて後述するデジタル放送受信機能部２１が設けられたものである。そして、前記携帯電話機能部２０は従来例のメモリ（図５に於て１３）に代えてメモリ２２が設けられ、該メモリ２２には初期設定で記憶された少なくとも１つの初期設定コンテンツ２３、及び、後述するダウンロード等によって取り込まれる少なくとも１つのダウンロードコンテンツ２４が記憶される。該初期設定コンテンツ２３、及び、該ダウンロードコンテンツ２４は、例えば、広告、メロディー、クイズ等の画像及び／又は音声データを出力するためのデータから成る。
【００２３】
又、前記デジタル放送受信機能部２１には、従来例のデジタル放送受信機能部（図５に於て３）に加えて、チャンネル切替え信号検出部２５、及び、デコード処理開始信号検出部２６が、夫々前記制御部１２に接続されて設けられている。
【００２４】
尚、該前記チャンネル切替え信号検出部２５、及び、前記デコード処理開始信号検出部２６に代えて、同様の機能を前記制御部１２、又は、前記メモリ２２内にプログラムとして組み込むことも可能である。
【００２５】
而して、前記デジタル放送受信機能付き携帯電話端末１９の前記携帯電話機能部２０は従来例のデジタル放送受信機能付き携帯電話端末（図５に於て１）の携帯電話機能部（図５に於て２）と同様に機能し、前記デジタル放送受信機能付き携帯電話端末１９の前記デジタル放送受信機能部２１は任意のチャンネルが選択されて出力されている時、従来例のデジタル放送受信機能部（図５に於て３）と同様に機能する。
【００２６】
然しながら、前記デジタル放送受信機能部２１は、図２に示す如く、任意のチャンネルのデジタル放送中に（ステップＳ１）、前記ユーザインタフェイス１５によってチャンネルが切替えられると（ステップＳ２）、前記チャンネル切替え信号検出部２５によってチャンネル切替え信号が検出され（ステップＳ３）、この時、前記メモリ２２内にダウンロードコンテンツ２４の蓄積がある時は、該ダウンロードコンテンツ２４の画像を前記ＬＣＤ１４に表示し、且つ、前記スピーカ１０によって音声を出力し（ステップＳ４）、該ダウンロードコンテンツ２４の蓄積がない時は前記初期設定コンテンツ２３の画像を前記ＬＣＤ１４によって表示し、且つ、前記スピーカ１０によって音声を出力する（ステップＳ５）。
【００２７】
そして、チャンネル切替え後に所定の時間が経過して、前記復調器及び復号器１８からデコード処理開始信号が出力され、前記デコード処理開始信号検出部２６によって該デコード処理開始信号が検出されると、前記ダウンロードコンテンツ２４、又は、前記初期設定コンテンツ２３の画像表示及び音声の出力を中止すると共に（ステップＳ６、ステップＳ７）、切替えられたチャンネルのデジタル放送を開始する（ステップＳ８）。
【００２８】
次に、前記デジタル放送受信機能付き携帯電話端末１９のデジタル放送受信機能部２１で受信するチャンネルが切替えられた時の変化を図３によって説明する。同図（ａ）は選択された一つのチャンネルの画像が前記ＬＣＤ１４に表示され、音声が前記スピーカ１０によって出力されている状態を示し、この状態の時、チャンネルが切替えられると、同図（ｂ）に示す如く、前記ダウンロードコンテンツ２４、又は、前記初期設定コンテンツ２３の画像が前記ＬＣＤ１４によって表示され、且つ、前記スピーカ１０によって音声が出力される。  そして、次に、切替えられたチャンネルのデコード処理開始信号が検出されると同図（ｃ）の如く、切替えられたチャンネルの放送の画像及び音声に切替えられる。尚、前述の説明に於て、画像表示と音声出力とが同時に行われるように説明したが、画像表示のみ、又は、音声出力のみが行われる場合もある。
【００２９】
斯くして、前記デジタル放送受信機能付き携帯電話端末１９はチャンネル切替え時間にコンテンツの出力をすることにより、デジタル放送のチャンネル切替え時間の画像の不表示、表示不良、又は従来例のブルーバック画面等の不自然な画面がなくなり、更に、無音状態、又は、雑音等出力がなくなり、ユーザの不快感を解消することができる。
【００３０】
図４は前記デジタル放送受信機能付き携帯電話端末１９に前記ダウンロードコンテンツ２４をダウンロードする方法を示す。前記デジタル放送受信機能付き携帯電話端末１９は該デジタル放送受信機能付き携帯電話端末１９に備えた携帯電話機能部２０によって、多数のコンテンツ（図示せず）を蓄積したサーバー２７から、インターネット２８、及び、無線通信の基地局２９を介して前記ダウンロードコンテンツ２４，２４…をダウンロードすることができ、該ダウンロードコンテンツ２４，２４…は前記メモリ２２に記憶される。尚、該メモリ２２内のダウンロードコンテンツ２４，２４…は書き換えも可能である。
【００３１】
斯くして、ユーザはダウンロードによってコンテンツを自由に選択可能であると共に、選択したコンテンツをメモリに容易に蓄積できる。
【００３２】
尚、本発明は、本発明の精神を逸脱しない限り種々の改変を為すことができ、そして、本発明が該改変されたものに及ぶことは当然である。
【００３３】
【発明の効果】
本発明は上記一実施の形態に詳述したように、請求項１記載の発明はデジタル放送受信機能付き携帯電話端末に於て、画像及び／又は音声用コンテンツを記憶したメモリと、デジタル放送のチャンネル切替え信号を検出するチャンネル切替え信号検出部と、デコード処理開始信号検出部とを備えたので、前記チャンネル切替え信号検出部によってデジタル放送のチャンネル切替え信号を検出すると、前記メモリ内の前記コンテンツを出力し、前記デコード処理開始信号検出部によってデコード処理開始信号を検出すると、該コンテンツの出力を中止することが可能となる。これにより、デジタル放送のチャンネル切替え時間に前記コンテンツを出力して、チャンネル切替え時間のユーザの不快感を解消すると共に、該切替え時間の有効利用を図ることができる。
【００３４】
又、請求項２記載の発明は、上記メモリには予め初期設定により初期設定コンテンツが記憶されているので、該初期設定コンテンツによって請求項１記載の発明の効果が期待できる。
【００３５】
更に、請求項３記載の発明は、上記コンテンツは上記携帯電話機能部によってダウンロードにより取込まれるように構成されているので、請求項１又は２記載の発明の効果に加え、ユーザがダウンロードによってコンテンツを自由に選択できると共に、コンテンツの蓄積、及び、書き換えが容易に行える等、正に著大なる効果を奏する発明である。
【図面の簡単な説明】
【図１】本発明の一実施の形態を示し、デジタル放送受信機能付き携帯電話端末の説明図。
【図２】本発明の一実施の形態を示し、チャンネル切替え時の処理フロー図。
【図３】本発明の一実施の形態を示し、チャンネル切替え時のＬＣＤ画面表示の変化説明図。
【図４】本発明の一実施の形態を示し、デジタル放送受信機能付き携帯電話端末にコンテンツをダウンロードする説明図。
【図５】従来例を示し、デジタル放送受信機能付き携帯電話端末の説明図。
【図６】従来例を示し、チャンネル切替え時のＬＣＤ画面表示の変化説明図。
【符号の説明】
１９      デジタル放送受信機能付き携帯電話端末
２０      携帯電話機能部
２１      デジタル放送受信機能部
２２      メモリ
２３      初期設定コンテンツ
２５      チャンネル切替え信号検出部
２６      デコード処理開始信号検出部
【図１】
2004336481.tif 000003
【図２】
2004336481.tif 000004
【図３】
2004336481.tif 000005
【図４】
2004336481.tif 000006
【図５】
2004336481.tif 000007
【図６】
2004336481.tif 000008